(57)【特許請求の範囲】
【請求項１】
１台の熱源機に主暖房用および副暖房用の放熱機を接続し、前記熱源機にて得た温水を前記放熱機に循環可能とし、これら放熱機の熱交換器で得た温風をファンで吹き出す温水暖房装置において、
前記主暖房用の放熱機は、当該放熱機が運転に入るとき運転開始の旨の制御信号を前記熱源機に出力する手段を有し、前記熱源機は、前記主暖房用の放熱機からの制御信号を受けて前記副暖房用の放熱機を補助暖房用に切り替えるための連絡信号を前記副暖房用の放熱機に出力する手段を有し、前記副暖房用の放熱機は、前記熱源機からの連絡信号を受けて同放熱機のファンを低速回転に設定する手段を有していることを特徴とする温水暖房装置。
【請求項２】
１台の熱源機に主暖房用および副暖房用の放熱機を接続し、前記熱源機にて得た温水を前記放熱機に循環可能とし、これら放熱機の熱交換器で得た温風をファンで吹き出す温水暖房装置において、
前記主暖房用の放熱機は、当該放熱機が運転に入るとき運転開始の旨の制御信号を前記熱源機に出力する手段を有し、前記熱源機は、前記主暖房用の放熱機からの制御信号を受けて前記副暖房用の放熱機を補助暖房用に切り替えるための連絡信号を前記副暖房用の放熱機に出力する手段を有し、前記副暖房用の放熱機は、前記熱源機からの連絡信号を受けて同放熱機のファンを低速回転に設定する手段および同放熱機を補助暖房用とした旨を表示する手段を有しており、前記主暖房用および副暖房用の放熱機が、同時に運転状態になるときには、同副暖房用の放熱機のファンを低速回転として同放熱機を補助暖房用に切り替え、前記主暖房用の放熱機の能力が低下しないようにしたことを特徴とする温水暖房装置。
【発明の詳細な説明】
【０００１】
【発明の属する技術分野】
この発明は温水を複数の放熱機（以下ファンコンベクタと記す）の熱交換器に循環し、ファンコンベクタのファンを駆動して温風を室内に吹き出し、室内を快適環境に維持するマルチタイプの温水暖房装置に係り、特に詳しくは、全てのファンコベクタの同時運転時における主暖房用のファンコンベクタの能力低下を抑える温水暖房装置に関するものである。
【０００２】
【従来の技術】
この種の温水暖房装置は、図３に示すように、１台の熱源機１で温水を得る一方、この温水を主暖房用のファンコンベクタ２および副暖房用のファンコンベクタ３に循環し、各ファンコンベクタ２、３によって温風を吹き出す。
【０００３】
例えば、ファンコンベクタ２のパネル（あるいはリモコン）の運転ＳＷがオンになると、ファンコベクタ２の制御装置４からは制御信号が熱源機１の制御装置５に送られ、これにより熱源機１ではボイラを作動して温水を得るとともに、この温水をファンコンベクタ２に循環する。ファンコンベクタ２の制御装置４は、当該熱交換器６に送られる温水が所定値を越えると、ファン７を駆動して温風を吹き出す。
【０００４】
また、他方のファンコンベクタ３のパネル（あるいはリモコン）の運転ＳＷがオンになると、ファンコベクタ３の制御装置８からは制御信号が熱源機１の制御装置５に送られ、これにより熱源機１ではボイラを作動して温水を得るとともに、この温水をファンコンベクタ３に循環する。ファンコンベクタ３の制御装置８は、当該熱交換器９に送られる温水が所定値を越えると、ファン１０を駆動して温風を吹き出す。
【０００５】
このように、熱源機１には主暖房用および副暖房用のファンコンベクタ２，３を接続することができるため、つまり１台の熱源機１からの温水を各ファンコンベクタ２，３に循環させることができるため、各ファンコンベクタ２，３を設置した室内を暖めることができる。
【０００６】
【発明が解決しようとする課題】
ところで、上記マルチタイプの温水暖房装置においては、１台の熱源機１に接続される２台のファンコンベクタ２，３の合計最大能力が熱源機１の最大能力を越えることがある。
【０００７】
例えば、熱源機１の最大能力が５０００ｋｃａｌ／ｈに対し、この熱源機１に接続されたファンコベクタ２，３の最大能力が３０００ｋｃａｌ／ｈである場合、２つのファンコンベクタ２，３が同時に運転状態になったとき、各ファンコンベクタ２，３のファン駆動により温水温度の低下が大きくなる。これにより、各ファンコンベクタ２，３が設置されている室内が暖まらず、つまり低温の温風が吹き出され、不快感を与える恐れがある。
【０００８】
この発明は上記課題に鑑みなされたものであり、その目的は複数のファンコンベクタを同時運転したときに、主暖房用のファンコンベクタを設置した室内を適切に暖めることができ、不快感をなくすことができるようにした温水暖房装置を提供することにある。
【０００９】
【課題を解決するための手段】
上記目的を達成するために、請求項１の発明は、１台の熱源機に主暖房用および副暖房用の放熱機を接続し、前記熱源機にて得た温水を前記放熱機に循環可能とし、これら放熱機の熱交換器で得た温風をファンで吹き出す温水暖房装置において、前記主暖房用の放熱機は、当該放熱機が運転に入るとき運転開始の旨の制御信号を前記熱源機に出力する手段を有し、前記熱源機は、前記主暖房用の放熱機からの制御信号を受けて前記副暖房用の放熱機を補助暖房用に切り替えるための連絡信号を前記副暖房用の放熱機に出力する手段を有し、前記副暖房用の放熱機は、前記熱源機からの連絡信号を受けて同放熱機のファンを低速回転に設定する手段を有していることを特徴としている。
【００１０】
また、請求項２の発明は、１台の熱源機に主暖房用および副暖房用の放熱機を接続し、前記熱源機にて得た温水を前記放熱機に循環可能とし、これら放熱機の熱交換器で得た温風をファンで吹き出す温水暖房装置において、
前記主暖房用の放熱機は、当該放熱機が運転に入るとき運転開始の旨の制御信号を前記熱源機に出力する手段を有し、前記熱源機は、前記主暖房用の放熱機からの制御信号を受けて前記副暖房用の放熱機を補助暖房用に切り替えるための連絡信号を前記副暖房用の放熱機に出力する手段を有し、前記副暖房用の放熱機は、前記熱源機からの連絡信号を受けて同放熱機のファンを低速回転に設定する手段および同放熱機を補助暖房用とした旨を表示する手段を有しており、前記主暖房用および副暖房用の放熱機が、同時に運転状態になるときには、同副暖房用の放熱機のファンを低速回転として同放熱機を補助暖房用に切り替え、前記主暖房用の放熱機の能力が低下しないようにしたことを特徴としている。
【００１１】
上記手段によれば、例えば副暖房用の放熱機が運転状態に入っているとき、主暖房用の放熱機が運転開始されるものとする。この主暖房用の放熱機側からは運転開始の旨の制御信号が熱源機に送られる。熱源機ではその制御信号により副暖房用の放熱機を補助暖房用に切り替える判定が行われるとともに、副暖房用の放熱機を補助暖房用に切り替えるための連絡信号が同副暖房用の放熱機に送られる。副暖房用の放熱機ではその連絡信号により当該ファンが低速回転に設定されるとともに、当該放熱機を補助暖房用に切り替えた旨が表示される。
【００１２】
これにより、副暖房用の放熱機のファンが低速回転とされ、つまり副暖房用の放熱機の能力が抑えられ、２台の放熱機の合計能力が熱源機の能力を上回らないようになる。したがって、熱源機から２台の放熱機に循環される温水温度の低下が抑えられ、主暖房用の放熱機の能力が低下するようなこともない。
【００１３】
【発明の実施の形態】
この発明のマルチタイプの温水暖房装置は、主暖房用および副暖房用の放熱機（以下ファンコンベクタと記す）が同時に運転状態になったとき、例えば副暖房用のファンコンベクタのファンの回転速度を下げ、各ファンコンベクタの合計能力が熱源機の能力を上回らないようにすれば、温水温度の低下を抑えることができ、他のファンコンベクタを設置した室内を適切な温度にすることができることに着目したものである。
【００１４】
そのため、この発明の温水暖房装置は図１および図２に示す構成をしている。なお、図中、図３と同一部分には同一符号を付し重複説明を省略する。
【００１５】
図１において、この温水暖房装置は、主暖房用のファンコンベクタ２の運転開始時に主暖房用制御装置１１がその運転開始の旨の制御信号を熱源機１の制御装置１２に送り、こけを受けて制御装置１２が副暖房用のファンコンベクタ３を補助暖房用に切り替えるための連絡信号を副暖房用制御装置１３に送り、この副暖房用制御装置１３がファン１０を低速回転とし、かつパネルの副表示部１４に「補助暖房運転中」を表示する機能を有している。
【００１６】
主暖房用制御装置１１は、パネル（またはリモコン）の運転ＳＷがオンにされたときに運転開始の旨の制御信号を熱源機１に送る制御信号出力手段１１ａを有している。
【００１７】
熱源機１の制御装置１２は、制御信号出力手段１２ａからの制御信号が入力される主暖房用制御入力手段１２ａと、この入力制御信号により副暖房用のファンコンベクタ３を補助暖房用に切り替える判定を行う補助暖房判定手段１２ｂと、この判定により副暖房用のファンコンベクタ３に補助暖房用に切り替えるための連絡信号を出力する補助暖房用制御出力手段１２ｃとを有している。
【００１８】
副暖房用制御装置１３は、補助暖房用制御出力手段１２ｃからの連絡信号を受けて、当該ファンコンベクタ３を補助暖房用に切り替える制御信号を出力する制御信号入出力手段１３ａと、この制御信号によりファン１０を低速回転とするファンモータ制御手段１３ｂとを備えている。
【００１９】
なお、主暖房用制御装置１１は上述した機能の他に図３に示す制御装置４の機能を有し、制御装置１２は上述した機能の他に図３に示す制御装置５の機能を有し、副暖房用制御装置１３は上述した機能の他に図３に示す制御装置７の機能を有している。
【００２０】
また、副暖房用のファンコンベクタ３は副暖房用制御装置１３の制御信号入出力手段１３ａからの制御信号により「補助暖房運転中」の旨を表示する副表示部（例えばパネル）１４を備えている。
【００２１】
上記構成の温水暖房装置において、熱源機１の最大能力が５０００ｋｃａｌ／ｈであり、主暖房用および副暖房用のファンコンベクタ２，３の最大能力が３０００ｋｃａｌ／ｈであるとする。
【００２２】
そして、例えば副暖房用のファンコンベクタ３が既に運転状態にあるとき、主暖房用のファンコンベクタ２の運転ＳＷがオンにされると、つまり主暖房用および副暖房用のファンコンベクタ２，３が同時運転状態になると、従来例では、各ファンコンベクタ２，３の能力が十分に発揮されない。
【００２３】
しかし、この発明では、ファンコンベクタ２の主暖房用制御装置１１が主暖房の運転開始の旨の制御信号を制御装置１２に出力する。制御装置１２はその入力制御信号により副暖房用のファンコンベクタ３を補助暖房に切り替える判定を行い、この判定結果により補助暖房用制御出力手段をファンコンベクタ３を補助暖房用に切り替えるための連絡信号をファンコンベクタ３の副暖房用制御装置１３に出力する。
【００２４】
すると、副暖房用制御装置１３はファン１０の回転速度を低速に設定するとともに、副表示部１４に「補助暖房運転中」の旨を表示する。これにより、副暖房用のファンコンベクタ３のファン１０が低速回転となり、当該ファンコンベクタ３の能力が低下し、主暖房用および副暖房用のファンコンベクタ２，３の合計能力が熱源機１の能力を上回ることもなく、熱源機１から各ファンコンベクタ２，３に循環される温水温度の温度低下が抑えられる。したがって、例えば居間に設置されている主暖房用のファンコンベクタ２の能力が十分に発揮され、居間の室内温度が適切に保たれる。
【００２５】
一方、例えば子供部屋に設置されている副暖房用のファンコンベクタ３のファン１０が低速回転となるため、温風の吹き出し量が減少し、室温の上昇が鈍り、多少の不快感を与えることになるが、副表示部１４の補助暖房中の表示により能力が低下していることを知ることができ、ある程度の不快感を認めることができるだけなく、当該ファンコンベクタ３の故障でないと判断することができる。
【００２６】
なお、上記実施例では、既に副暖房用のファンコンベクタ３が運転されている状態において、主暖房用のファンコンベクタ２が運転された場合を例にして説明したが、主暖房用および副暖房用のファンコンベクタ２，３が同時に運転された場合でも、上述同様の制御が行われる。また、主暖房用のファンコンベクタ２が既に運転されている状態において副暖房用のファンコンベクタ３が運転された場合でも、上述同様の制御が行われる。
【００２７】
また、熱源機１により多くの放熱機が接続されている場合、熱源機１に接続されている全ての放熱機が同時に運転されたときには、少なくとも１台の放熱機の能力が十分に発揮されるため、全ての放熱機の能力が低下するということもなく、全ての室内の温度が上昇せず、全て不快感を与えることもない。
【００２８】
【発明の効果】
以上説明したように、この発明によれば、１台の熱源機に複数の放熱機を接続してなる温水暖房装置において、例えば主暖房用および副暖房用の放熱機が同時に運転状態になったときには副暖房用の放熱機のファンを低速回転として運転状態にある放熱機の能力が熱源機の能力を上回らないようにし、温水温度の低下を抑えるようにしたので、副暖房用の放熱機の能力が多少低下するものの、主暖房用の放熱機の能力を十分に発揮させることができ、主暖房用の放熱機が設置されている室内の温度を適切に保つことができ、各放熱機が設置されている室内において全て不快感を与えるということもない。
【００２９】
また、この発明によれば、副暖房用の放熱機においては、当該ファンの低速回転とともに、補助暖房運転中の旨を表示するようにしたので、当該放熱機の能力が多少低下することを認知することができるため、ある程度の不快感を認めることができ、また例えば故障でない等の判断ができる。
【図面の簡単な説明】
【図１】  この発明の一実施例を示す温水暖房装置の概略的ブロック線図。
【図２】  この発明の温水暖房装置の概略的側断面図。
【図３】  従来の温水暖房装置の概略的側断面図。
【符号の説明】
１  熱源機
２  ファンコンベクタ（主暖房用の放熱機）
３  ファンコンベクタ（副暖房用の放熱機）
７  ファン（ファンコンベクタ２の）
１０  ファン（ファンコンベクタ３の）
１１  主暖房用制御装置
１１ａ  制御信号出力手段
１２  制御装置（熱源機１の）
１２ａ  主暖房用制御入力手段
１２ｂ  補助暖房判定手段
１２ｃ  副暖房用制御出力手段
１３  副暖房用制御装置
１３ａ  制御信号入出力手段
１３ｂ  ファンモータ制御手段
１４  副表示部
【図１】
0003651518.tif 000002
【図２】
0003651518.tif 000003
【図３】
0003651518.tif 000004